(57)【特許請求の範囲】
【請求項１】
通達ごとに設定される変更識別情報と、通達に含まれる１以上の変更内容であり、施工日情報を含むダイヤ変更情報と、が入力される入力部と、
前記変更識別情報に対応付けられた前記ダイヤ変更情報が記録される記録部と、
前記変更識別情報ごとに前記ダイヤ変更情報を記録部から読み出し、通達に記載された前記ダイヤ変更情報を、通達に記載された施工日において基本ダイヤ情報に反映させるダイヤ作成部と、を備える、ダイヤ作成装置。
【請求項２】
請求項１に記載されたダイヤ作成装置であって、
さらにダイヤ変更取消部を含み、
前記ダイヤ変更取消部は、前記入力部に入力された前記変更識別情報と対応する前記ダイヤ変更情報を通達ごとに前記記録部から抹消する、ダイヤ作成装置。
【請求項３】
請求項１または２に記載されたダイヤ作成装置であって、
前記変更識別情報には、日付、番号、名称のうちの１以上の項目が含まれる、ダイヤ作成装置。
【請求項４】
入力部に、通達ごとに設定される変更識別情報と、通達に含まれる１以上の変更内容であり、施工日情報を含むダイヤ変更情報とが入力されるステップと、
記録部に、前記変更識別情報に対応付けて前記ダイヤ変更情報が記録されるステップと、
ダイヤ作成部は、前記変更識別情報ごとに前記ダイヤ変更情報を前記記録部から読み出し、通達に記載された前記ダイヤ変更情報を、通達に記載された施工日において基本ダイヤ情報に反映させるステップと、を含む、ダイヤ作成方法。
【請求項５】
請求項４に記載されたダイヤ作成方法であって、
前記変更識別情報には、日付、番号、名称のうちの１以上の項目が含まれる、ダイヤ作成方法。
【発明の詳細な説明】
【技術分野】
【０００１】
本発明は、列車の運行計画に関わるダイヤ作成装置、及びダイヤ作成方法に関する。
【背景技術】
【０００２】
ダイヤ作成卓は、列車運行計画に従って日付ごとにダイヤを作成するための装置である。ダイヤ作成卓は、ダイヤ改正ごとに更新される基本ダイヤ情報を基にしてダイヤを作成する。そして、作成されたダイヤは、１日分の制御ダイヤ情報として、ＬＡＮなどの通信ネットワークを介し、自動進路制御装置、いわゆるＰＲＣ装置に送信される。このＰＲＣ装置は、制御ダイヤ情報に基づく適切な進路制御を行うように、信号機や転轍機などを制御する連動装置、及びＣＴＣ装置に信号を出力する。
【０００３】
臨時列車の発生などによって列車運行計画に変更が生ずると、運行管理担当の指令員が、配布された運転報や電報（以下、「通達」と呼称する。）に従って、制御ダイヤ情報を項目ごとに変更する作業が必要となる。この作業は、変更対象の運行日（以下、「施工日」と呼称する。）ごとに必要となり、さらに、通達の記載表現とダイヤ作成卓の入力形式が必ずしも一致するわけではないため、施工日や変更対象の項目数が多いときは大変な負担となっている。
【０００４】
この問題に関連して、例えば特許文献１には、構内運行計画のダイヤ変更に先立ち、本線運行計画のダイヤなどを管理サーバから元データとして取り込んでおくことによって、本線のダイヤ情報の入力作業を省き、その負担を軽減する技術が開示されている。
【０００５】
しかしながら、このダイヤ変更方法においても、やはり、変更内容の入力作業を施工日ごとに行うこととされているため、効果的な負担の軽減にはなり得ないと考えられる。
【０００６】
このような問題は、列車運行に限って存在するものではなく、運行管理を必要とするバスなどの交通機関に関しても同様に存在する。
【先行技術文献】
【特許文献】
【０００７】
【特許文献１】特開２００６−１９９２４４号公報
【発明の概要】
【発明が解決しようとする課題】
【０００８】
本発明の課題は、ダイヤ変更の作業負担を効果的に軽減し得るダイヤ作成装置、及びダイヤ作成方法を提供することである。
【課題を解決するための手段】
【０００９】
上述した課題を解決するため、本発明に係るダイヤ作成装置は、入力部と、記録部と、ダイヤ作成部とを含む。
【００１０】
前記入力部は、基本ダイヤ情報と、通達ごとに設定される変更識別情報と、通達に含まれる１以上の変更内容であり、施工日情報を含むダイヤ変更情報との入力操作の用に供される。前記記録部は、前記変更識別情報に対応付けられて前記ダイヤ変更情報が記録されている。
【００１１】
前記ダイヤ作成部は、前記変更識別情報ごとに前記ダイヤ変更情報を前記記録部から読み出して、通達に記載された前記ダイヤ変更情報を、通達に記載された施工日において基本ダイヤ情報に反映させた制御ダイヤ情報を作成する。
【００１２】
本発明に係るダイヤ作成装置は、ダイヤ変更情報を記録部に、変更識別情報に対応付けて記録するから、通達ごとに複数回に分けて入力されたダイヤ変更情報を変更識別情報に基づいて管理することができる。
【００１３】
したがって、このダイヤ作成装置によれば、通達を受信したとき、変更識別情報として、例えば当該通達番号を入力することによって、通達番号ごとに変更内容を管理できる。すなわち、ダイヤ作成装置に特定の通達番号を入力して、該当する変更内容を登録、閲覧、または削除することができるため、変更内容の管理が容易となる。
【００１４】
また、ダイヤ作成部は、変更識別情報ごとにダイヤ変更情報を記録部から読み出して、ダイヤ作成対象となる日付が施工日情報に含まれる該変更内容を、基本ダイヤ情報に反映させた制御ダイヤ情報を作成する。
【００１５】
したがって、本発明に係るダイヤ作成装置は、予め入力されたダイヤ変更情報に基づいて、変更内容が反映された制御ダイヤ情報を、日付ごとに自動的に作成することができる。このため、通達に記載された施工日が複数日であった場合、つまり、施工期間として記載されていた場合、該当する全ての日付において、変更内容が反映された制御ダイヤ情報を、自動的に作成することができる。これにより、指令員が１日ごとに制御ダイヤ情報を項目ごとに変更する作業を省くことができる。
【００１６】
また、本発明に係るダイヤ作成方法は、基本ダイヤ情報に基づいて日付ごとに制御ダイヤ情報を作成する方法であって、以下のステップを含む。
（１）通達ごとに設定される変更識別情報と、通達に含まれる１以上の変更内容であり、施工日情報を含むダイヤ変更情報とが入力されるステップ
（２）前記変更識別情報に対応付けて前記ダイヤ変更情報が記録されるステップと、
（３）前記変更識別情報ごとに前記ダイヤ変更情報を前記記録部から読み出して、通達に記載された前記ダイヤ変更情報を、前記基本ダイヤ情報に反映させて制御ダイヤ情報を作成するステップ
本発明に係るダイヤ変更方法は、上述したダイヤ作成装置と同様の構成を含んでいるため、同様の作用効果を奏する。
【発明の効果】
【００１７】
以上述べたように、本発明によれば、ダイヤ変更の作業負担を効果的に軽減し得るダイヤ作成装置、及びダイヤ作成方法を提供することができる。
【図面の簡単な説明】
【００１８】
【図１】本発明に係るダイヤ作成装置の機能構成図である。
【図２】ダイヤ変更の入力処理のフロー図である。
【図３】通達の一例を示す図である。
【図４】通達の一例を示す図である。
【図５】ダイヤ変更の入力画面の構成例を示す図である。
【図６】ダイヤ作成処理のフロー図である。
【発明を実施するための形態】
【００１９】
図１は、本発明に係るダイヤ作成装置の機能構成図である。本発明に係るダイヤ作成装置１０は、入力部１と、通信処理部２と、記録部５と、表示部３と、制御部４を含む。ダイヤ作成装置１０は、典型的には、パソコンなどの汎用コンピュータ装置にダイヤ作成処理用のソフトウェアを搭載したものであるが、ダイヤ作成の用途に限定された専用コンピュータであってもよい。
【００２０】
入力部１は、キーボード、及びマウスなどの直接的な入力操作の用に供されるものや、ＵＳＢメモリなどの汎用記憶媒体を挿入するスロットなどの間接的な入力操作の用に供されるものも含まれる。
【００２１】
通信処理部２は、ＬＡＮ２０と接続するためのＬＡＮポート、及び通信処理を行なうＬＳＩなどを含んでいる。なお、通信処理部２が処理可能な通信速度は、１Ｇｂｐｓ、あるいは１００Ｍｂｐｓでもよい。
【００２２】
表示部３は、グラフィックボードなどの画像処理回路と、ディスプレイなどの画像表示を行うための装置とから構成される。
【００２３】
制御部４は、ダイヤ作成部４１と、ダイヤ変更取消部４３と、表示処理部４４と、入出力処理部４５とを含む。ダイヤ作成部４１は、ダイヤ変更情報５３の登録、及び制御ダイヤ情報５４の作成処理を行なう。ダイヤ変更取消部４３は、ダイヤの変更の取消処理を行なう。表示処理部４４は、情報などを表示部３に表示するための処理を行なう。入出力処理部４５は、入力部１からの情報の入力処理、通信処理部２との情報の入出力処理、表示部３への情報の出力処理、及び記録部５との情報の入出力処理を行なう。
【００２４】
制御部４は、ＣＰＵなどの演算処理装置やメモリなどから構成されており、入出力処理部４５は、バスなどの接続回路４０を介して、各部１〜３，５と電気的に接続され、互いに情報の入出力が可能となるように構成されている。上記の処理部４１〜４５は、演算処理装置を動作させるソフトウェアの処理ルーチンとして構成されており、そのソフトウェアのプログラムはハードディスクなどに記録されている。
【００２５】
記録部５は、ハードディスク、または不揮発性メモリなどから構成され、基本ダイヤ情報５１と、複数の変更識別情報５２と、複数群のダイヤ変更情報５３と、制御ダイヤ情報５４とが記録されている。
【００２６】
基本ダイヤ情報５１は、ダイヤ作成部４１が日付ごとに制御ダイヤ情報５４を作成するための基本データであり、ダイヤ改正が行われるごとに更新されるものである。基本ダイヤ情報５１は、作業者により、入力部１を介して直接的に入力されて構成されたもの、またはＵＳＢメモリなどの記録媒体により、入力部１を介して間接的に入力されて構成されたもの、あるいはＬＡＮ２０内の他の装置から通信処理部２を介して入力されて構成されたものである。入力された基本ダイヤ情報５１は、入出力処理部４５により記録部５に記録される。
【００２７】
【表１】
0005791919.tif 000002
【００２８】
基本ダイヤ情報５１は、上記の表１に示されているように、列車ごとの運行管理情報が含まれている。すなわち、基本ダイヤ情報５１は、列車の運行の有無、運用の種別、始発、終着、及び各駅の着発時刻などが含まれている。
【００２９】
変更識別情報５２は、上記の通達ごとに設定される識別情報であり、例えば通達番号である。また、ダイヤ変更情報５３は、通達ごとに含まれている１以上の変更内容を示すデータであり、識別情報と対応付けられて記録されている。すなわち、変更識別情報５２は、通達数の分だけ記録されているダイヤ変更情報５３のうち、いずれか１つを識別するためのポインタであり、制御部４がダイヤ変更情報５３を処理するための検索キーとなる。
【００３０】
制御ダイヤ情報５４は、ダイヤ作成部４１によって基本ダイヤ情報５１に、ダイヤ変更情報５３を反映させて作成されたデータである。制御ダイヤ情報５４は、日付ごとに作成されて、入出力処理部４５によって通信処理部２から、ＬＡＮ２０を介して、自動進路制御装置３０、いわゆるＰＲＣ装置に送信される。ＰＲＣ装置３０は、一日分の制御ダイヤ情報５４を保持し、この情報に従って連動装置やＣＴＣ装置などを制御する。
【００３１】
次に、ダイヤ作成部４１の処理を説明する。ダイヤ作成部４１の処理は、ダイヤ変更情報５３を作成するための変更内容の入力処理と、基本ダイヤ情報５１にダイヤ変更情報５３を反映して制御ダイヤ情報５４を作成する反映処理とを含んでいる。
【００３２】
前者について、図２は、通達ごとに行われるダイヤ変更の入力処理のフローを示す。
【００３３】
まず、ダイヤ作成部４１は、入力部１から変更識別情報５２の入力を受け付ける（ステップＳｔ１）。このときの入力形式は、特に限定されるものではなく、表示部３に表示された一般的なコンソール画面から入力するものであってもよいし、表示された候補の中から選択するものであってもよい。
【００３４】
入力時、作業者は、図３と図４に例示されるような通達を参照する。通達には、一般的に管理番号として通達番号５２０，５２５が付されている。したがって、この通達番号５２１，５２５を変更識別情報５２として入力すると、扱いが平易となるため望ましい。
【００３５】
また、ダイヤ作成部４１は、変更識別情報５２の入力とともに、通達管理情報として、作成日、通達事由、入力者などの関連事項の入力を受け付けてもよい。もっとも、ダイヤ作成部４１は、これらのうち、１以上の項目を変更識別情報５２として取り扱ってもよい。つまり、変更識別情報５２には、日付、番号、名称のうちの１以上の項目を含むことができる。
【００３６】
次に、ダイヤ作成部４１は、入力部１から、施工日情報を含むダイヤ変更情報５３の入力を受け付ける（ステップＳｔ２〜Ｓｔ５）。このときの入力形式は、特に限定されるものではないが、表示部３に、例えば図５に示されるようなカレンダ画面を表示し、これを通じて情報入力する方式を採用すると、入力作業を視覚的に容易に行なえるために望ましい。
【００３７】
この入力画面は、ダイヤ変更の施工日を選択するためのカレンダウィンドウ３０と、施工日の選択や取消の設定、及び変更項目を選択するための第１選択ウィンドウ３５と、さらなる項目を選択するための第２選択ウィンドウ３６とを含む。カレンダウィンドウ３０は、年月表示欄３１と、切替ボタン３２と、日付表示欄３３とを含む。
【００３８】
まず、カレンダウィンドウ３０から施工日に該当する日付欄３３を選択することにより、施工日情報を入力する（ステップＳｔ２）。このカレンダウィンドウ３０は、左右の切替ボタン３２をマウスクリックすることによって年月表示欄３１の年月を順次に切替えることができる。
【００３９】
施工日情報の入力は、図３と図４とに示される通達の施工日５２１ａ，５２２ａ，５２６ａを参照して行われる。施工日の選択は、マウスクリックなどの操作により日付欄３３を選択しておき、次に、第１選択ウィンドウ３５において「日付選択」命令を選択入力することによって行われる。第１選択ウィンドウ３５は、常時、画面に表示させておいてもよいし、マウスクリックなどの操作により出現するようにしてもよい。
【００４０】
選択された日付は、符号３４で示されるように、着色やハッチングなどによって目立つようにマーキングされる。図５は、図３に示される上段の変更内容５２１の施工期間５２１ａに従って、２０１１年２月７日から２０１１年２月１３日が選択されている状態を例示している。
【００４１】
第１選択ウィンドウ３５は、日付選択に関わる命令を表示する第１表示領域３５１と、列車選択や追加に関わる命令を表示する第２表示領域３５２とを有している。第１表示領域３５１には、「日付選択」命令以外にも、カレンダ３０内の全日付３３を一括で選択する「全日付選択」命令、選択された日付を取り消すための「日付選択取消」命令、及び選択された日付を一括で取り消すための「全日付選択取消」命令が表示されている。なお、施工日情報の入力操作は、このような命令群によらず、例えば、Ｃｔｒｌキーなどの特定の制御キーを押した状態において、日付欄３３をマウスクリック、あるいはマウスドラッグすることにより行われるようにしてもよい。
【００４２】
施工日情報の入力受付後、ダイヤ作成部４１は、入力部１から、具体的なダイヤ変更内容の入力を受け付ける（ステップＳｔ３）。図３と図４とに示されるように、変更内容５２１，５２２，５２６は、一般的に列車名ごとに記載されている。
【００４３】
したがって、変更内容５２１，５２２のように、既存列車の運行内容を変更する場合、変更内容の入力は、施工日として選択された全部の日付に共通に存在する列車名を選択することにより行われる。つまり、日付を選択した状態で、第２表示領域３５２にある「列車選択」命令を選択すると、基本ダイヤ情報５１に基づいて、当該日付の全てに共通に存在する列車名の一覧が第２選択ウィンドウ３６に表示される。そして、この列車名の中から変更対象の列車を選択し、その列車について運行内容の変更を行う。
【００４４】
運行内容の変更入力方式は、特に限定されるものではないが、周知のダイヤ表示画面にて着発時刻などを設定する方式を採用し得る。
【００４５】
図３に示されている上段の変更内容５２１の場合、表１に示された運行内容のうち、「後運用」の項目を「折返」から「なし」に変更することにより設定がなされる。運用の項目としては、他にも「継送」、「分割」、及び「併合」が存在し、これらの候補から選択することにより列車運用の設定がなされる。また、下段の変更内容５２２については、「運転」の項目を「有」から「無」に変更することにより設定がなされる。
【００４６】
一方、図４に示される変更内容５２６のように、施工日として選択された日付に、新規に列車を追加する場合、変更内容の入力は、第２表示領域３５２にある「列車追加」命令を選択して行われる。変更内容５２６のような構内列車の場合、設定項目としては、該当する駅名、運用、発着時刻、発着番線、先行列車名、及び運転の休止／復活が存在する。
【００４７】
このように、通達の記載形式に従って容易に変更内容を入力することが可能な方式を採用することによって、ダイヤ変更の入力作業の負荷を大幅に削減することができる。
【００４８】
再び図２を参照して説明すると、図３に示される通達の場合、上段の変更内容５２１に含まれる全変更対象項目の入力が完了後（ステップＳｔ４）、今度は、下段の変更内容５２２の施工日を入力し（ステップＳｔ２）、その全変更対象項目の入力が完了すると（ステップＳｔ４）、ダイヤ作成部４１は、入出力処理部４５を介して、変更識別情報５２とダイヤ変更情報５３を記録部５に記録（ステップＳｔ６，Ｓｔ７）する。
【００４９】
【表２】
0005791919.tif 000003
【００５０】
こうして記録された変更識別情報５２とダイヤ変更情報５３は、上記の表２のように、互いに対応付けられている。したがって、ダイヤ変更情報５３は、変更識別情報５２ごとに、つまり通達ごとに、制御ダイヤ情報５４へ反映するための登録、その登録解除、閲覧、あるいは抹消することが可能である。
【００５１】
すなわち、表示処理部４４は、入力部１に入力された通達番号５２０，５２５を基にして、該当する変更識別情報５２に係るダイヤ変更情報５３を表示部３に出力する。また、ダイヤ変更取消部４３は、入力部１に入力された通達番号５２０，５２５を基にして、該当する変更識別情報５２に係るダイヤ変更情報を記録部５から抹消する。なお、ダイヤ変更情報５３は、現在の日付が最後の施工日を経過した後の一定期間経過後に自動的に抹消されるようにしてもよい。
【００５２】
次に、基本ダイヤ情報５１にダイヤ変更情報５３を反映して制御ダイヤ情報５４を作成する処理について、図６を参照して説明する。作成処理は、入力部１から対象として指定された日付が入力されたことを契機として実行されてもよいし、あるいは毎日、当日分のダイヤを対象として自動的に実行されてもよい。
【００５３】
まず、ダイヤ作成部４１は、入出力処理部４５を介して、記録部５から基本ダイヤ情報５１を読み出し（ステップＳｔ１１）、次に変更識別情報５２を読み出す（ステップＳｔ１２）。そして、ダイヤ作成部４１は、変更識別情報５２ごとにダイヤ変更情報５３を読み出して（ステップＳｔ１３）、該変更内容に係る施工日情報に、ダイヤ作成対象の日付が含まれているかを判定する（ステップＳｔ１４）。当該日付が含まれていなければ、１つの変更識別情報５２に係る全ての変更内容について反映処理が完了したか否かを判定し（ステップ１６）、完了していない場合、他の変更内容に係る施工日情報について同様の判定を行う（ステップＳｔ１４）。
【００５４】
一方、当該日付が含まれていれば、ダイヤ作成部４１は該変更内容を基本ダイヤ情報５１に反映する（ステップＳｔ１５）。具体的には、仮に作成対象日を２０１１年２月１０日とすると、図３に示される上段の変更内容５２１、及び図４に示される変更内容５２６は反映されるが、図３に示される下段の変更内容５２２は反映されないことになる。
【００５５】
ダイヤ作成部４１は、１つの変更識別情報５２に係る全ての変更内容について反映処理が完了すると（ステップＳｔ１６）、他の変更識別情報５２に係る全ての変更内容についても同様に反映処理を行なう（ステップＳｔ１３〜Ｓｔ１５）。さらに、ダイヤ作成部４１は、全ての変更識別情報５２に係る変更内容の反映処理が完了すると（ステップＳｔ１７）、これにより作成された制御ダイヤ情報５４を記録部５に記録する（ステップＳｔ１８）。
【００５６】
【表３】
0005791919.tif 000004
【００５７】
上記の表３には、このようにして作成された２０１１年２月７日の制御ダイヤ情報５４が例示されている。これを、先に示された表１の基本ダイヤ情報５１と比較すれば明らかなように、図３の変更内容５２１に基づいて、列車名「特急はたち50号」の「後運用」項目が「折返」から「なし」に変更されている。さらに、図３の変更内容５２２に基づいて、列車名「特急はたち53号」の「運転」項目が「有」から「無」に変更されている。          
【００５８】
【表４】
0005791919.tif 000005
【００５９】
また、上記の表４は、２０１１年２月８日の制御ダイヤ情報５４が例示されている。この制御ダイヤ情報５４は、図３の変更内容５２１の反映に加えて、図４の変更内容５２６に基づいて、列車名「構内列車123号」の運用情報が追加されている。なお、他の日付の制御ダイヤ情報５４は、例示されていないが、図３と図４とに示された施工日５２１ａ，５２２ａ，５２６ａに係る日付について、同様に変更内容５２１，５２２，５２６が反映されているものとする。
【００６０】
これまで述べたように、本発明に係るダイヤ作成装置１０は、ダイヤ変更情報５３を記録部５に、変更識別情報５２に対応付けて記録するから、複数回に分けて入力されたダイヤ変更情報５３を変更識別情報５２に基づいて管理することができる。
【００６１】
したがって、このダイヤ作成装置１０によれば、通達を受信したとき、変更識別情報５２として、例えば当該通達番号５２０，５２５を入力することによって、通達番号５２０，５２５ごとに変更内容５２１，５２２，５２６を管理できる。すなわち、ダイヤ作成装置１０に特定の通達番号５２０，５２５を入力して、該当する変更内容５２１，５２２，５２６を登録、閲覧、または削除することができるため、変更内容５２１，５２２，５２６の管理が容易となる。
【００６２】
また、ダイヤ作成部４１は、変更識別情報５２ごとにダイヤ変更情報５３を記録部５から読み出して、ダイヤ作成対象となる日付が施工日情報に含まれる該変更内容５２１，５２２，５２６を、基本ダイヤ情報５１に反映させた制御ダイヤ情報５４を作成する。
【００６３】
したがって、本発明に係るダイヤ作成装置１０は、予め入力されたダイヤ変更情報５３に基づいて、変更内容５２１，５２２，５２６が反映された制御ダイヤ情報５４を、日付ごとに自動的に作成することができる。このため、通達に記載された施工日５２１ａ，５２２ａ，５２６ａが複数日であった場合、つまり、施工期間として記載されていた場合、該当する全ての日付において、変更内容５２１，５２２，５２６が反映された制御ダイヤ情報５４を、自動的に作成することができる。これにより、指令員が１日ごとに制御ダイヤ情報を項目ごとに変更する作業を省くことができる。
【００６４】
一方、本発明に係るダイヤ変更方法は、上述したダイヤ作成装置１０と同様の構成を含んでいるため、同様の作用効果を奏する。
【００６５】
上述した実施形態では、列車の運行管理を例に挙げているが、これに限らず、バスなどの他の交通機関の運行管理に関しても、本発明は同様に適用される。
【００６６】
以上、好ましい実施例を参照して本発明の内容を具体的に説明したが、本発明の基本的技術思想及び教示に基づいて、当業者であれば、種々の変形態様を採り得ることは自明である。
【符号の説明】
【００６７】
１                    入力部
５                    記録部
４１                  ダイヤ作成部
４３                  ダイヤ変更取消部
１０                  ダイヤ作成装置
５２                  変更識別情報
５３                  ダイヤ変更情報
５１                  基本ダイヤ情報
５４                  制御ダイヤ情報
【図１】
0005791919.tif 000006
【図２】
0005791919.tif 000007
【図３】
0005791919.tif 000008
【図４】
0005791919.tif 000009
【図５】
0005791919.tif 000010
【図６】
0005791919.tif 000011